(57)【要約】【課題】本発明は、マイクロバブルを使用して、洗浄効果向上による洗浄剤の使用量の削減及び環境適性の向上並びに順次・連続的な容器の洗浄が可能な容器洗浄機を提供することである。また、マイクロバブルを使用して、中性乃至酸性の洗浄剤を用いてアルカリ性洗浄剤による容器寿命低下の問題を解決することを目的とする。【解決手段】本発明の容器洗浄機は、予備濯ぎ槽２と、洗浄槽３と、仕上げ濯ぎ槽４と、未洗浄容器１ａを順次連続的に予備濯ぎ槽、洗浄槽及び仕上げ濯ぎ槽に通過させる容器搬送手段７と、洗浄槽に蓄えられた洗浄液１０に流れを生じさせる洗浄液循環手段２４と、洗浄槽の洗浄液中に設置された微細気泡発生器３１と、を有することを特徴とする。【選択図】図１
2008272674.tif 000002
【特許請求の範囲】
【請求項１】
予備濯ぎ槽と、洗浄槽と、仕上げ濯ぎ槽と、未洗浄容器を順次連続的に前記予備濯ぎ槽、前記洗浄槽及び前記仕上げ濯ぎ槽に通過させる容器搬送手段と、前記洗浄槽に蓄えられた洗浄液に流れを生じさせる洗浄液循環手段と、前記洗浄槽の洗浄液中に設置された微細気泡発生器と、を有することを特徴とする容器洗浄機。
【請求項２】
前記微細気泡発生器が、個数平均径又はメディアン径が５０μｍ以下の微細気泡を発生させることを特徴とする請求項１に記載の容器洗浄機。
【請求項３】
前記洗浄液循環手段は、前記洗浄槽に蓄えられた洗浄液を液面より低位置にて吸引し、吐出する循環ポンプ付きの配管であることを特徴とする請求項１又は２に記載の容器洗浄機。
【請求項４】
前記洗浄液循環手段は、前記洗浄槽に蓄えられた洗浄液を低位置から前記洗浄液の液面まで汲み上げる循環ポンプ付きの配管であることを特徴とする請求項１又は２に記載の容器洗浄機。
【請求項５】
前記洗浄液の流れ方向を、前記容器搬送手段の容器搬送方向に対して直交若しくはほぼ直交させていることを特徴とする請求項１、２、３又は４に記載の容器洗浄機。
【請求項６】
前記微細気泡発生器が、前記洗浄槽に蓄えられた洗浄液の流れのある箇所にて微細気泡を発生させることを特徴とする請求項１、２、３、４又は５に記載の容器洗浄機。
【請求項７】
前記微細気泡発生器は、洗浄中の容器に対して洗浄液の流れの上流側に配置されていることを特徴とする請求項１、２、３、４、５又は６に記載の容器洗浄機。
【請求項８】
前記容器搬送手段が、洗浄中の容器の開口部を前記微細気泡発生器に対向させるように該容器を搬送することを特徴とする請求項１、２、３、４、５、６又は７に記載の容器洗浄機。
【請求項９】
未洗浄容器を順次連続的に予備濯ぎ槽、洗浄槽及び仕上げ濯ぎ槽に通過させて、洗浄済容器とする容器の洗浄方法において、前記洗浄槽で使用する洗浄液を、中性洗浄液、弱酸性洗浄液又は酸性洗浄液とし、前記洗浄液を循環させて、生じた洗浄液の流れの中で微細気泡を発生させることを特徴とする容器の洗浄方法。
【請求項１０】
前記容器が、ガラス容器、プラスチック容器、コーティングを施したガラス容器又はコーティングを施したプラスチック容器であることを特徴とする請求項９に記載の容器の洗浄方法。
【請求項１１】
前記微細気泡が、個数平均径又はメディアン径が５０μｍ以下の気泡であることを特徴とする請求項９又は１０に記載の容器の洗浄方法。
【発明の詳細な説明】
【技術分野】
【０００１】
本発明は、リターナブル又はリフィラブルと呼称されるガラス壜、プラスチックボトル等の通い容器を繰り返し使用するための容器洗浄機及び容器の洗浄方法に関する。
【背景技術】
【０００２】
ガラス壜の通い容器は、洗壜機と呼ばれる複数の槽を備えた装置内を通過する際に、各槽の水、湯又は洗浄液に浸漬され、再充填可能なレベルまできれいに洗浄される（例えば特許文献１を参照。）。洗浄液には通常、水酸化ナトリウムなどのアルカリ性洗浄剤が用いられている。
【０００３】
一方、洗浄の効率化を図るため、マイクロバブルと呼ばれる微細気泡（以下、「マイクロバブル」ともいう）を洗浄液中で発生させる技術がある（例えば特許文献２を参照。）。
【０００４】
【特許文献１】特開平５‐５００５１号公報
【特許文献２】特開２００４‐１２１９６２号公報
【発明の開示】
【発明が解決しようとする課題】
【０００５】
特許文献１などに記載されている洗壜機において用いられるアルカリ性洗浄剤は、洗浄力が強い一方、ガラスを侵す性質があり、ガラス壜の繰り返し使用可能回数に影響を与える。また、ビール用途に表面を薄膜で被覆したポリエチレンテレフタレート（ＰＥＴ）樹脂製のボトルの場合、ＰＥＴ樹脂の加水分解を促進する。したがって、長期的には徐々に薄膜のガスバリア性能を低下させる問題を生じる。
【０００６】
アルカリ性洗浄剤における諸問題を解決するため、酸性洗浄剤を使用することも考えられる。しかし、一般に酸性洗浄剤では蛋白などの洗浄力に欠け、実用化されていない。
【０００７】
特許文献２の開示に代表されるマイクロバブルを使用した洗浄技術は、有機溶剤等の洗浄剤の使用量をゼロにしたり、低減したりできる効果が知られている。環境調和技術として主として日本国内で注目されている一方、原理解明がさほど進んでいないのが現状であり、飲料用容器の洗浄機に活用した事例はこれまでのところ知られていない。
【０００８】
そこで本発明の目的は、マイクロバブルを使用して、洗浄効果向上による洗浄剤の使用量の削減及び環境適性の向上並びに順次・連続的な容器の洗浄が可能な容器洗浄機を提供することである。また、本発明の目的は、マイクロバブルを使用して、中性乃至酸性の洗浄剤を用いてアルカリ性洗浄剤による容器寿命低下の問題を解決し、かつ、洗浄効果向上による洗浄剤の使用量の削減及び環境適性の向上並びに順次・連続的な容器の洗浄が可能な容器の洗浄方法を提供することである。
【課題を解決するための手段】
【０００９】
本発明者らは、複数槽を有する容器洗浄機において、洗浄槽で微細気泡を発生させ、かつ、容器に効率的に微細気泡を接触させることで、中性乃至酸性の洗浄液で飲料用容器を、リターナブルの使用が可能な程度まで順次・連続的に洗浄できることを見出し、本発明を完成させた。すなわち、本発明に係る容器洗浄機は、予備濯ぎ槽と、洗浄槽と、仕上げ濯ぎ槽と、未洗浄容器を順次連続的に前記予備濯ぎ槽、前記洗浄槽及び前記仕上げ濯ぎ槽に通過させる容器搬送手段と、前記洗浄槽に蓄えられた洗浄液に流れを生じさせる洗浄液循環手段と、前記洗浄槽の洗浄液中に設置された微細気泡発生器と、を有することを特徴とする。
【００１０】
本発明に係る容器洗浄機では、前記微細気泡発生器が、個数平均径又はメディアン径が５０μｍ以下の微細気泡を発生させることが好ましい。発生させる気泡として、個数平均径又はメディアン径が５０μｍ以下の微細気泡とすることで、洗浄効果を高めることができる。
【００１１】
本発明に係る容器洗浄機では、前記洗浄液循環手段は、前記洗浄槽に蓄えられた洗浄液を液面より低位置にて吸引し、吐出する循環ポンプ付きの配管であることが好ましい。洗浄槽内で洗浄液の流れを高めることが可能であり、微細気泡を素早く容器まで移動させることができ、その際に洗浄液の泡立ちを抑制できる。
【００１２】
本発明に係る容器洗浄機では、前記洗浄液循環手段は、前記洗浄槽に蓄えられた洗浄液を低位置から前記洗浄液の液面まで汲み上げる循環ポンプ付きの配管であることとしてもよい。洗浄槽内の洗浄液を上から下に至るまで満遍なく循環させ、これに伴い微細気泡も洗浄槽全体に行き渡らせることが可能となる。
【００１３】
本発明に係る容器洗浄機では、前記洗浄液の流れ方向を、前記容器搬送手段の容器搬送方向に対して直交若しくはほぼ直交させていることが好ましい。洗浄槽内で搬送中の容器に微細気泡を効率よく接触させることが可能である。
【００１４】
本発明に係る容器洗浄機では、前記微細気泡発生器が、前記洗浄槽に蓄えられた洗浄液の流れのある箇所にて微細気泡を発生させることが好ましい。洗浄槽内全体に微細気泡を素早く行き渡らせることができる。
【００１５】
本発明に係る容器洗浄機では、前記微細気泡発生器は、洗浄中の容器に対して洗浄液の流れの上流側に配置されていることが好ましい。微細気泡は、洗浄液の流れに逆らって拡散できない場合があるため、このような配置によって効果的かつ一様に微細気泡を洗浄中の容器に接触させることができる。
【００１６】
本発明に係る容器洗浄機では、前記容器搬送手段が、洗浄中の容器の開口部を前記微細気泡発生器に対向させるように該容器を搬送することが好ましい。洗浄槽内では容器の上下を自在に変更しながら搬送することが可能であるが、容器の開口部（のみ口又は注ぎ口）と微細気泡の発生器を対向させることで、微細気泡が品質に特に重要な容器の内部に行き渡りやすくし、洗浄効率を高めることができる。
【００１７】
本発明に係る容器の洗浄方法は、未洗浄容器を順次連続的に予備濯ぎ槽、洗浄槽及び仕上げ濯ぎ槽に通過させて、洗浄済容器とする容器の洗浄方法において、前記洗浄槽で使用する洗浄液を、中性洗浄液、弱酸性洗浄液又は酸性洗浄液とし、前記洗浄液を循環させて、生じた洗浄液の流れの中で微細気泡を発生させることを特徴とする。
【００１８】
本発明に係る容器の洗浄方法では、前記容器が、ガラス容器、プラスチック容器、コーティングを施したガラス容器又はコーティングを施したプラスチック容器である形態が含まれる。ここで、薄膜又は塗被膜が容器にコーティングされている形態が含まれ、さらに薄膜がガスバリア性を有する薄膜である形態が含まれる。
【００１９】
本発明に係る容器の洗浄方法では、前記微細気泡が、個数平均径又はメディアン径が５０μｍ以下の気泡であることが好ましい。発生させる気泡として、個数平均径又はメディアン径が５０μｍ以下の微細気泡とすることで、洗浄効果を高めることができる。気泡がこのような微細な径の気泡であると、洗浄液中を移動中に気泡に働く浮力による急速に液面へ浮上することが抑制され、微細気泡の均一な洗浄液中への拡散及び未洗浄容器への均一な接触が可能となる。したがって、浮力の観点からは、１０μｍ以下がより好ましく、１μｍ以下がより好ましい。
【発明の効果】
【００２０】
本発明の容器洗浄機は、マイクロバブルを使用して、洗浄効果向上によって洗浄剤の使用量を削減し、環境適性を向上させ、並びに順次・連続的に容器を洗浄することができる。また、本発明の容器の洗浄方法は、マイクロバブルを使用して、中性乃至酸性の洗浄剤を用いてアルカリ性洗浄剤による容器寿命低下の問題を解決できる。また、洗浄効果向上によって洗浄剤の使用量を削減し、環境適性を向上させ、並びに順次・連続的に容器を洗浄することができる。
【発明を実施するための最良の形態】
【００２１】
添付の図面を参照して本発明の実施の形態を説明する。以下に説明する実施の形態は本発明の構成の例であり、本発明は、以下の実施の形態に制限されず、本発明の効果を奏する範囲で適宜変更が可能である。
【００２２】
本実施形態に係る容器洗浄機を図１及び図２を用いて説明する。図１は本実施形態に係る容器洗浄機の全体の構成を説明するための概略図である。図２は洗浄槽の構成を説明するための概略図である。図１に示したように、本実施形態に係る容器洗浄機１００は、予備濯ぎ槽２と、洗浄槽３と、仕上げ濯ぎ槽４と、未洗浄容器１ａを順次連続的に予備濯ぎ槽２、洗浄槽３及び仕上げ濯ぎ槽４に通過させる容器搬送手段７と、洗浄槽３に蓄えられた洗浄液１０に流れを生じさせる洗浄液循環手段（図２の符号２４）と、洗浄槽３の洗浄液中に設置された微細気泡発生器（図２の符号３１）と、を有する。本実施形態に係る容器洗浄機１００は、予備濯ぎ槽２と、洗浄槽３と、仕上げ濯ぎ槽4のほか、予備濯ぎ槽２の予備タンク５と、仕上げ濯ぎ槽４の予備タンク６とをさらに有する。図１と図２を参照して、本実施形態に係る容器洗浄機とその作動状況を説明する。
【００２３】
図１で示した本実施形態に係る容器洗浄機は、２つの予備濯ぎ槽２ａ，２ｂを備えている。ここで１つ又は３つ以上の予備濯ぎ槽から構成されていてもよい。未洗浄容器１ａは、容器搬送手段７に載せられた後、直ちに予備濯ぎ槽２につけられず、その前にジェット水流噴射機１３によって水又は湯の水流を浴びて物理的な洗浄が加えられる。ジェット水流噴射機１３によって噴射された水又は湯は、未洗浄容器１ａに当たった後、予備濯ぎ槽２の予備タンク５に蓄えられる。水又は湯の水流を浴びた洗浄中の容器１ｂは、容器搬送手段７によって予備濯ぎ槽２ａ，２ｂにつけられる。予備濯ぎ槽２には、水又は湯が蓄えられていて、予備タンク５内の水又は湯と相互に循環されている。
【００２４】
容器搬送手段７は、容器を順次・連続的に予備濯ぎ槽２、洗浄槽３及び仕上げ濯ぎ槽４に搬送することができればいかなる形態であってもよいが、例えば、循環式のコンベアに、容器を収容する容器ホルダーをコンベア方向に配列・固定した形態である。容器ホルダーとしては、例えば、入れ物構造、掴み構造、摘み構造又は挟み構造を有する保持具である。
【００２５】
洗浄の対象とする容器１ａは、ガラス容器（ガラス壜）、プラスチック容器、コーティングを施したガラス容器又はコーティングを施したプラスチック容器である。これらの容器は、ワンウェイで用いられることがあるが、リターナブルで繰り返し使用されることもある。ここで、コーティング物としては、例えば薄膜又は塗被膜がある。薄膜としては、例えばダイヤモンドライクカーボン（ＤＬＣ）薄膜、ＳｉＯｘ薄膜、アルミナ薄膜、窒化物薄膜などの各種のガスバリア性を有する薄膜がある。また、塗被膜としては、例えば破壜防止用のセラミック製又は樹脂製塗被膜又はラベル印刷を目的とした塗被膜がある。
【００２６】
図１で示した本実施形態に係る容器洗浄機は、３つの洗浄槽３ａ，３ｂ，３ｃを備えている。ここで２つ以下又は４つ以上の洗浄槽から構成されていてもよい。洗浄中の容器１ｂは、予備濯ぎ槽２に続いて、容器搬送手段７によって洗浄槽３ａ，３ｂ，３ｃにつけられる。洗浄槽３には、洗浄液１０が蓄えられており、洗浄槽３ａ，３ｂ，３ｃに蓄えられている洗浄液１０ａ，１０ｂ，１０ｃは相互に循環されている。また、洗浄槽３には、ジェット水流噴射機１４によって洗浄液が噴射され、洗浄中の容器１ｂに洗浄液の水流を浴びて物理的な洗浄を加える。ジェット水流噴射機１４によって噴射された洗浄液は、洗浄中の容器１ｂに当たった後、洗浄槽３に蓄えられる。
【００２７】
洗浄液１０としては、容器の寿命低下防止の観点から、中性洗浄液（ｐＨがほぼ７）、弱酸性洗浄液（ｐＨが４以上７未満）又は酸性洗浄液（ｐＨが４未満）が好ましい。ただし、本実施形態に係る容器洗浄機では、洗浄液１０として従来から使用されている水酸化ナトリウム、グルコン酸ナトリウム等のアルカリ性薬剤を含有するアルカリ性洗浄剤を使用することも可能である。
【００２８】
図２に示すように、洗浄液循環手段２４は、洗浄槽３に洗浄液１０の水面よりも低位置に設けた２つ以上の開口部２３と、開口部２３ａ，２３ｂ同士を洗浄槽３の外側にて連結する配管２２と、配管２２内の洗浄液に流れを与える循環ポンプ２１とを有する。すなわち、洗浄液循環手段２４は、洗浄槽３に蓄えられた洗浄液１０を低位置から洗浄液１０の液面まで汲み上げる循環ポンプ付きの配管である。洗浄液循環手段２４によって、洗浄槽３に蓄えられた洗浄液１０がその液面よりも低位置の開口部２３ａにて吸引され、開口部２３ｂから吐出される。洗浄液中の汚れや洗浄液濃度を一定に保つことができる他、洗浄槽３内で洗浄液１０の流れ２５を高めることが可能であり、微細気泡を素早く容器まで移動させることができ、その際に洗浄液１０の泡立ちを抑制できる。なお、図２において、※１は、配管２２がつながっていることを意味している。
【００２９】
図３に洗浄液循環手段の他形態を説明するための概略図を示した。図３に示すように、洗浄液循環手段２４は、洗浄槽３に洗浄液１０の水面よりも低位置に設けた開口部２３と、開口部２３ｂに一端が連結され、他端が洗浄液１０の水面にて開放された配管２２と、配管２２内の洗浄液に流れを与える循環ポンプ２１とを有する。すなわち、洗浄液循環手段２４は、洗浄槽３に蓄えられた洗浄液１０を低位置から洗浄液１０の液面まで汲み上げる循環ポンプ付きの配管としてもよい。ここで、配管２２の他端は、洗浄液１０の水面よりも上方に位置しているが、洗浄液１０の水面よりもわずかに低い位置に位置していてもよい。洗浄液循環手段２４によって、洗浄槽３に蓄えられた洗浄液１０がその液面よりも低位置の開口部２３にて吸引され、配管２２の他端から吐出される。洗浄液中の汚れや洗浄液濃度を一定に保つことができる他、洗浄槽３内の洗浄液１０を上から下に至るまで満遍なく循環させ、これに伴い微細気泡も洗浄槽３全体に行き渡らせることが可能となる。また、配管２２の他端が洗浄液１０の水面よりもわずかに低い位置に位置する場合には、洗浄液の泡立ちが抑制される。
【００３０】
微細気泡発生器の方式は、マイクロバブルという微細気泡を発生させることができればいかなる方式でもよいが、例えば、超高速旋回・せん断方式、加圧気液混合方式又は超音波方式がある。図２に示した微細気泡発生器３１は、超高速旋回・せん断方式の形態である。このとき、微細気泡発生手段３３は、洗浄槽３内で、洗浄液１０の水面よりも低位置を通る循環配管３０と、循環配管３０内の洗浄液に流れを与える循環ポンプ３２と、洗浄槽３内の循環配管３０に接続された微細気泡発生器３１と、循環配管３０内に空気を取り込む空気取り込み口２９とを有する。図２で示した微細気泡発生器３１は、洗浄槽３の洗浄液１０中に設置されている。循環配管３０内には、空気取り込み口２９から取り込まれた空気と洗浄液とが気液混合流体を形成して高速で循環している。なお、空気は大気を取り込んでも、加圧してから取り込んでもいずれでもよい。空気圧は気泡形成に影響を与えることがある。そして、気液混合流体が循環配管から分岐されて微細気泡発生器３１まで供給される。微細気泡発生器３１内において、気液混合流体は高速回転流れを付与されて、微細気泡が発生する。
【００３１】
本実施形態に係る容器洗浄機では、微細気泡発生器３１が、個数平均径又はメディアン径が５０μｍ以下の微細気泡を発生させることが好ましい。微細気泡発生器３１からは、直径がｍｍオーダーの粗大な気泡が発生する場合があるが、個数平均径又はメディアン径が５０μｍ以下の微細気泡を主として発生させることで、洗浄効果を高めることができる。本実施形態でいう微細気泡には、ナノオーダーの超微細気泡も含まれる。なお、微細気泡発生器３１が、その機構上、直径５０μｍを超える気泡を発生させるとしても、個数平均径又はメディアン径が５０μｍ以下の微細気泡を発生させる限り、本実施形態に係る容器洗浄機の微細気泡発生器として使用することができる。
【００３２】
本実施形態に係る容器洗浄機では、図２で示すように、洗浄液の流れ２５の方向を、容器搬送手段７の容器搬送方向に対して直交若しくはほぼ直交させていることが好ましい。洗浄槽内で搬送されている洗浄中の容器１ｂに洗浄液の流れ２５を当てれば、微細気泡も効率よく洗浄中の容器１ｂに接触させることが可能である。
【００３３】
本実施形態に係る容器洗浄機では、図２で示すように、微細気泡発生器３１が、洗浄槽３に蓄えられた洗浄液１０の流れ２５のある箇所にて微細気泡を発生させることが好ましい。洗浄槽内全体に微細気泡を素早く行き渡らせることができる。また、微細気泡発生器３１を複数設置する場合には、洗浄液の流れ２５の方向に沿って配置することが好ましい。洗浄中の容器１ｂに接触する微細気泡の濃度を高めることができる。
【００３４】
本実施形態に係る容器洗浄機では、微細気泡発生器３１は、洗浄中の容器に対して洗浄液の流れの上流側に配置されていることが好ましい。図２では、微細気泡発生器３１ａが、容器搬送手段７に対して洗浄液の流れ２５の上流側に設置されている。微細気泡は、洗浄液の流れに逆らって拡散できない場合があるため、このような配置によって効果的かつ一様に微細気泡を洗浄中の容器に接触させることができる。
【００３５】
本実施形態に係る容器洗浄機では、容器搬送手段７が、洗浄中の容器の開口部を前記微細気泡発生器に対向させるように該容器を搬送することが好ましい。洗浄槽３内では容器の上下を自在に変更しながら搬送することが可能であるが、容器の開口部（飲み口又は注ぎ口）と微細気泡の発生器を対向させることで、微細気泡が品質に特に重要な容器の内部に行き渡りやすくし、洗浄効率を高めることができる。また、洗浄中の容器が洗浄液につけられて、容器の開口部から洗浄液が入り込む位置において、微細気泡が豊富に存在するように、微細気泡発生器３１の位置、洗浄液の流れ２５を調整してもよい。
【００３６】
図１で示した本実施形態に係る容器洗浄機は、１つの仕上げ濯ぎ槽４を備えている。ここで２つ以上の仕上げ濯ぎ槽から構成されていてもよい。洗浄中の容器１ｂは、洗浄槽３に続いて、容器搬送手段７によって仕上げ濯ぎ槽４につけられる。仕上げ濯ぎ槽４には、水又は湯１１が蓄えられており、後流にある予備タンク６に蓄えられている水又は湯１２ａ，１２ｂ，１２ｃとの間で相互に循環されている。また、仕上げ濯ぎ槽４には、ジェット水流噴射機１５によって水又は湯が噴射され、洗浄中の容器１ｂに水又は湯の水流を浴びて物理的な洗浄を加え、主として洗浄液を落とす。ジェット水流噴射機１５によって噴射された水又は湯は、洗浄中の容器１ｂに当たった後、予備タンク６に蓄えられる。
【００３７】
以上のとおり、容器洗浄機１００を通過した容器は、洗浄済容器１ｃとして、仕上げられる。
【００３８】
図１では予備濯ぎ槽２、洗浄槽３及び仕上げ濯ぎ槽４が順に配置するように設置された形態で説明したが、本実施形態に係る容器洗浄機は、この形態に限定されない。例えば、予備濯ぎ槽、洗浄槽及び仕上げ濯ぎ槽を順に環状に配置し、ロータリー型の容器洗浄機としてもよい。
【００３９】
次に、容器洗浄機１００を用いた場合を例として、本実施形態に係る容器の洗浄方法を説明する。本実施形態に係る容器の洗浄方法は、未洗浄容器１ａを順次連続的に予備濯ぎ槽２、洗浄槽３及び仕上げ濯ぎ槽４に通過させて、洗浄済容器１ｃとする容器の洗浄方法において、洗浄槽３で使用する洗浄液１０を、中性洗浄液（ｐＨがほぼ７）、弱酸性洗浄液（ｐＨが４以上７未満）又は酸性洗浄液（ｐＨが４未満）とし、洗浄液１０を循環させて、生じた洗浄液の流れ２５の中で微細気泡を発生させる。微細気泡を発生させることによって、洗浄剤の種類に拠らず、洗浄力が増強されるので、洗浄剤の使用量の低減が実現でき、コストダウンが図れる。本実施形態に係る容器の洗浄方法のように、洗浄液として中性洗浄液、弱酸性洗浄液又は酸性洗浄液を使用してもアルカリ洗浄剤と同等まで容器を洗浄することができる。
【００４０】
洗浄の対象とする容器１ａをガラス容器（ガラス壜）とした場合、アルカリ性の洗浄剤であれば、ガラスが溶解しやすいのでガラス表面に生じた傷が拡大されるところ、洗浄液として中性洗浄液、弱酸性洗浄液又は酸性洗浄液を使用すれば、ガラスの溶解が起こりにくいので、傷が広がらず、容器の寿命延長が図られる。プラスチック容器、例えＰＥＴボトルの場合においては、アルカリ性洗浄剤の使用によって樹脂の加水分解が起きるので、ガラス壜と同様に表面に生じた傷が拡大されるところ、洗浄液として中性洗浄液、弱酸性洗浄液又は酸性洗浄液を使用すれば、樹脂の加水分解が起こりにくいので、傷が広がらず、容器の寿命延長が図られる。さらに、ガラス容器又はプラスチック容器の表面に薄膜又は塗被膜を形成した場合、ガラスの溶解又はプラスチックの加水分解が、薄膜又は塗被膜とガラス容器又はプラスチック容器の表面との界面にて起こりやすいため、薄膜又は塗被膜が剥離しやすい。洗浄液として中性洗浄液、弱酸性洗浄液又は酸性洗浄液を使用すれば、ガラスの溶解又はプラスチックの加水分解が起こりにくいので、薄膜又は塗被膜が剥離しにくく、容器の寿命延長が図られる。洗浄剤として弱酸性洗浄液を用いた場合、後述する実施例で実証されるとおり、洗浄率が高く、アルカリ性洗浄剤の場合を超えて良好に洗浄することができる。
【実施例】
【００４１】
ｐＨの異なる洗浄剤を使用して、微細気泡の発生による洗浄効果の確認を行なった。
【００４２】
（洗浄のまでの手順）
（１）珪藻土、蓚酸カルシウム、ビール、牛乳の混合物ペーストを７６ｍｍ×２５ｍｍの面積のサンプル板に塗り、６０℃で１６時間乾燥させ、ビールモデル汚れを固着させた。
（２）モデル汚れ固着前後で、各サンプル板の光沢度を、ハンディー光沢度計（堀場社製ＩＧ‐３２０）で測定した。各サンプルの光沢度は表１のとおりであった。なお、ＤＬＣ膜の膜厚は２０ｎｍとした。ＤＬＣ膜の成膜方法は、例えば、特許文献３により開示されている方法を用いた。
【特許文献３】特許第２７８８４１２号公報
【表１】
2008272674.tif 000003
（３）１０リットルの模擬洗浄槽内で、できるだけ水流を発生させないように、各サンプルを液面下に設置した。このとき、各洗浄剤及びマイクロバブルを水道水に所定の状態となるように加えた。５５℃１０分間放置し、その後の光沢度を測定した。図４に各条件（Ｎ＝３）でのサンプルの光沢度の平均値のグラフを示した。表２に図４のデータを整理した。なお、水流を発生させないようにしたのは、水流による誤差を含ませないためである。
（４）ここで、洗浄率（％）は、数１によって求めた。洗浄率（％）が８０％以上で合格品に相当する。
【数１】
2008272674.tif 000004
【表２】
2008272674.tif 000005
【００４３】
（洗浄剤の種類）
（１）強アルカリ性洗浄剤：市販界面活性剤入り１ｗ／ｗ（％）ＮａＯＨ水  室温ｐＨ１３
（２）弱アルカリ性洗浄剤：市販界面活性剤入り５ｗ／ｗ（％）珪酸ソーダ  室温ｐＨ１１。
（３）弱酸性洗浄剤：１．２ｗ／ｗ（％）グリコール酸に界面活性剤と弱酸を加えた試作洗剤で、室温ｐＨ４。
（４）中性洗剤：市販弱酸性洗剤にＮａＯＨを加えて、室温ｐＨ７に調整した。室温ｐＨ７。
【００４４】
（洗浄条件）
５５℃、１０分とした。微細気泡発生装置は次の装置を用いた。
ホルス社製  パワーミスト  ＥＣＰ  Ｊ‐１５０Ｓ。
【００４５】
図４で示されているとおり、次のことがわかった。すなわち、マイクロバブルによってガラス板及びＰＥＴ板共に洗浄が可能であった。特に、弱酸性洗浄剤でも、強アルカリ性洗浄剤よりも良好に洗うことが可能であった。
【００４６】
（洗浄前後におけるガスバリア性の保持率の検証）
ＤＬＣ膜を内面にコーティングした５００ｍｌのＰＥＴボトルをサンプルとして、モデル汚れは塗布せずに、前記各洗浄液を用いて、微細気泡を発生させ、５５℃、１０分の条件を１セットとして、洗浄を１０回行なった。洗浄１０回の前後で酸素透過率の比較を行なった。酸素透過率の測定には、Ｍｏｃｏｎ社のＯｘｔｒａｎ２／２１を用いた。このとき、測定温度は２３℃、湿度９０％とした。サンプル数Ｎ＝２とし、平均値を求めた。結果を表３に示した。
【００４７】
ガスバリア性の保持率（％）は数２より求めた。
【数２】
2008272674.tif 000006
なお、洗浄前の酸素透過率は、０．００２５ｃｃ／日／本であった。
【００４８】
【表３】
2008272674.tif 000007
【００４９】
弱酸性洗浄剤を用いた場合、高いガスバリア性の保持率が得られていることがわかった。この結果より、ＤＬＣ膜をコーティングしたＰＥＴボトルのリターナブル回数が、強アルカリ性洗浄剤又は弱アルカリ性洗浄剤を用いたときと比較して多いことが予測できる。
【図面の簡単な説明】
【００５０】
【図１】本実施形態に係る容器洗浄機の全体の構成を説明するための概略図である。
【図２】洗浄槽の構成を説明するための概略図である。
【図３】洗浄液循環手段の他形態を説明するための概略図である。
【図４】実施例における各条件（Ｎ＝３）でのサンプルの光沢度の平均値を示すグラフである。
【符号の説明】
【００５１】
１ａ  未洗浄容器
１ｂ  洗浄中の容器
１ｃ  洗浄済容器
２，２ａ，２ｂ  予備濯ぎ槽
３，３ａ，３ｂ，３ｃ  洗浄槽
４  仕上げ濯ぎ槽
５  予備濯ぎ槽の予備タンク
６  仕上げ濯ぎ槽の予備タンク
７  容器搬送手段
１０，１０ａ，１０ｂ，１０ｃ  洗浄液
１１，１２，１２ａ，１２ｂ，１２ｃ水又は湯
２４  洗浄液循環手段
３１  微細気泡発生器
１３，１４，１５  ジェット水流噴射機
２１  循環ポンプ
２２  配管
２３，２３ａ，２３ｂ開口部
２５  洗浄液の流れ
２９  空気取り込み口
３０  循環配管
３１，３１ａ，３１ｂ，３１ｃ  微細気泡発生器
３２  循環ポンプ
１００  容器洗浄機
【図１】
2008272674.tif 000008
【図２】
2008272674.tif 000009
【図３】
2008272674.tif 000010
【図４】
2008272674.tif 000011